【手続補正書】
【提出日】平成16年7月1日(2004.7.1)
【手続補正１】
【補正対象書類名】明細書
【補正対象項目名】特許請求の範囲
【補正方法】変更
【補正の内容】
【特許請求の範囲】
【請求項１】
圧縮機と、この圧縮機に接続された室外側熱交換器とを有する室外ユニット、この室外ユニットの上記室外側熱交換器と室内ユニット液側バルブを介して接続されると共に、上記圧縮機と室内ユニットガス側バルブを介して接続された室内側熱交換器を有する室内ユニット、および上記室外側熱交換器と蓄熱槽ユニット液側バルブを介して接続されると共に、上記圧縮機と蓄熱槽ユニットガス側バルブを介して接続された蓄熱用熱交換器を有する蓄熱槽ユニットを備え、上記室外側熱交換器または蓄熱用熱交換器を凝縮器、上記室内側熱交換器を蒸発器とする運転を行ない、上記室内ユニット液側バルブおよび室内ユニットガス側バルブをその順に遮断、あるいは上記蓄熱槽ユニット液側バルブ、蓄熱槽ユニットガス側バルブ、室内ユニット液側バルブおよび室内ユニットガス側バルブをその順に遮断することにより上記室外側熱交換器および蓄熱用熱交換器に冷媒を滞留させて上記室内ユニットの冷媒を回収するポンプダウン制御を行なうようにしたことを特徴とする蓄熱式空気調和装置。
【請求項２】
圧縮機と、この圧縮機に接続された室外側熱交換器とを有する室外ユニット、この室外ユニットの上記室外側熱交換器と室内ユニット液側バルブを介して接続されると共に、上記圧縮機と室内ユニットガス側バルブを介して接続された室内側熱交換器を有する室内ユニット、および上記室外側熱交換器と蓄熱槽ユニット液側バルブを介して接続されると共に、上記圧縮機と蓄熱槽ユニットガス側バルブを介して接続された蓄熱用熱交換器を有する蓄熱槽ユニットを備え、上記室内側熱交換器または蓄熱用熱交換器を凝縮器、上記室外側熱交換器を蒸発器とする運転を行ない、上記室内ユニット液側バルブおよび室内ユニットガス側バルブをその順に遮断、あるいは上記蓄熱槽ユニット液側バルブ、蓄熱槽ユニットガス側バルブ、室内ユニット液側バルブおよび室内ユニットガス側バルブをその順に遮断することにより上記室内側熱交換器および蓄熱用熱交換器に冷媒を滞留させて上記室外ユニットの冷媒を回収するポンプダウン制御を行なうようにしたことを特徴とする蓄熱式空気調和装置。
【請求項３】
圧縮機と、この圧縮機に接続された室外側熱交換器とを有する室外ユニット、この室外ユニットの上記室外側熱交換器と室内ユニット液側バルブを介して接続されると共に、上記圧縮機と室内ユニットガス側バルブを介して接続された室内側熱交換器を有する室内ユニット、および上記室外側熱交換器と蓄熱槽ユニット液側バルブを介して接続されると共に、上記圧縮機と蓄熱槽ユニットガス側バルブを介して接続された蓄熱用熱交換器を有する蓄熱槽ユニットを備え、上記室内側熱交換器または室外側熱交換器を凝縮器、上記蓄熱用熱交換器を蒸発器とする運転を行ない、上記蓄熱槽ユニット液側バルブおよび蓄熱槽ユニットガス側バルブをその順に遮断、あるいは上記室内ユニット液側バルブ、室内ユニットガス側バルブバルブ、蓄熱槽ユニット液側バルブおよび蓄熱槽ユニットガス側バルブをその順に遮断することにより上記室内側熱交換器および室外側熱交換器に冷媒を滞留させて上記蓄熱槽ユニットの冷媒を回収するポンプダウン制御を行なうようにしたことを特徴とする蓄熱式空気調和装置。
【請求項４】
請求項１記載の蓄熱式空気調和装置において、蓄熱槽ユニットの蓄冷利用冷房運転（放冷運転）を行なうと共に、所定時間後に通常冷房運転との併用冷房運転を行ない、運転が安定した後、室内ユニット液側バルブを遮断し、圧縮機の吸入側圧力が所定値以下となった時、圧縮機を停止すると共に、室内ユニットガス側バルブを遮断して室内ユニットの冷媒を回収するようにしたことを特徴とする蓄熱式空気調和装置の冷媒回収方法。
【請求項５】
請求項１記載の蓄熱式空気調和装置において、蓄熱槽ユニットの蓄冷利用冷房運転（放冷運転）を行ない、運転が安定した後、蓄熱槽ユニット液側バルブを遮断し、所定時間後に圧縮機を停止すると共に、蓄熱槽ユニットガス側バルブを遮断し、その後、通常冷房運転を行ない、運転が安定した後、室内ユニット液側バルブを遮断し、圧縮機の吸入側圧力が所定値以下となった時、圧縮機を停止すると共に、室内ユニットガス側バルブを遮断して室内ユニットの冷媒を回収するようにしたことを特徴とする蓄熱式空気調和装置の冷媒回収方法。
【請求項６】
請求項２記載の蓄熱式空気調和装置において、室外ユニットの冷媒回収運転を行ない、運転が安定した後、室内ユニット液側バルブを遮断すると共に、蓄熱槽ユニット液側バルブを遮断し、圧縮機の吸入側圧力が所定値以下となった時、圧縮機を停止し、室内ユニットガス側バルブを遮断すると共に、蓄熱槽ユニットガス側バルブを遮断して室外ユニットの冷媒を回収するようにしたことを特徴とする蓄熱式空気調和装置の冷媒回収方法。
【請求項７】
請求項２記載の蓄熱式空気調和装置において、蓄熱運転または放冷運転を行ない、運転が安定した後、蓄熱槽ユニット液側バルブを遮断し、所定時間後に圧縮機を停止すると共に、蓄熱槽ユニットガス側バルブを遮断し、その後、通常暖房運転を行ない、運転が安定した後、室内ユニット液側バルブを遮断し、圧縮機の吸入側圧力が所定値以下となった時、圧縮機を停止すると共に、室内ユニットガス側バルブを遮断して室外ユニットの冷媒を回収するようにしたことを特徴とする蓄熱式空気調和装置の冷媒回収方法。
【請求項８】
請求項２記載の蓄熱式空気調和装置において、通常暖房運転を行ない、運転が安定した後、室内ユニット液側バルブを遮断し、所定時間後に圧縮機を停止すると共に、室内ユニットガス側バルブを遮断し、その後、蓄熱運転を行ない、運転が安定した後、蓄熱槽ユニット液側バルブを遮断し、圧縮機の吸入側圧力が所定値以下となった時、圧縮機を停止すると共に、蓄熱槽ユニットガス側バルブを遮断して室外ユニットの冷媒を回収するようにしたことを特徴とする蓄熱式空気調和装置の冷媒回収方法。
【請求項９】
請求項３記載の蓄熱式空気調和装置において、蓄熱槽ユニット冷媒回収運転を行ない、運転が安定した後、蓄熱槽ユニット液側バルブを遮断し、圧縮機の吸入側圧力が所定値以下となった時、圧縮機を停止すると共に、蓄熱槽ユニットガス側バルブを遮断して蓄熱槽ユニットの冷媒を回収するようにしたことを特徴とする蓄熱式空気調和装置の冷媒回収方法。
【請求項１０】
請求項３記載の蓄熱式空気調和装置において、放熱暖房運転を行ない、運転が安定した後、室内ユニット液側バルブを遮断し、所定時間後に圧縮機を停止すると共に、室内ユニットガス側バルブを遮断し、その後、蓄冷運転を行ない、運転が安定した後、蓄熱槽ユニット液側バルブを遮断し、圧縮機の吸入側圧力が所定値以下となった時、圧縮機を停止すると共に、蓄熱槽ユニットガス側バルブを遮断して蓄熱槽ユニットの冷媒を回収するようにしたことを特徴とする蓄熱式空気調和装置の冷媒回収方法。
【請求項１１】
運転が安定する時間を、１０分経過後としたことを特徴とする請求項４〜請求項１０のいずれか１項記載の蓄熱式空気調和装置の冷媒回収方法。
【手続補正２】
【補正対象書類名】明細書
【補正対象項目名】００１５
【補正方法】変更
【補正の内容】
【００１５】
【課題を解決するための手段】
この発明に係る空気調和装置は、圧縮機と、この圧縮機に接続された室外側熱交換器とを有する室外ユニット、この室外ユニットの室外側熱交換器と室内ユニット液側バルブを介して接続されると共に、圧縮機と室内ユニットガス側バルブを介して接続された室内側熱交換器を有する室内ユニット、および室外側熱交換器と蓄熱槽ユニット液側バルブを介して接続されると共に、圧縮機と蓄熱槽ユニットガス側バルブを介して接続された蓄熱用熱交換器を有する蓄熱槽ユニットを備え、室外側熱交換器または蓄熱用熱交換器を凝縮器、室内側熱交換器を蒸発器とする運転を行ない、室内ユニット液側バルブおよび室内ユニットガス側バルブをその順に遮断、あるいは蓄熱槽ユニット液側バルブ、蓄熱槽ユニットガス側バルブ、室内ユニット液側バルブバルブおよび室内ユニットガス側バルブをその順に遮断することにより室外側熱交換器および蓄熱用熱交換器に冷媒を滞留させて室内ユニットの冷媒を回収するポンプダウン制御を行なうようにしたものである。
【手続補正３】
【補正対象書類名】明細書
【補正対象項目名】００１６
【補正方法】変更
【補正の内容】
【００１６】
この発明に係る空気調和装置は、また、圧縮機と、この圧縮機に接続された室外側熱交換器とを有する室外ユニット、この室外ユニットの室外側熱交換器と室内ユニット液側バルブを介して接続されると共に、圧縮機と室内ユニットガス側バルブを介して接続された室内側熱交換器を有する室内ユニット、および室外側熱交換器と蓄熱槽ユニット液側バルブを介して接続されると共に、圧縮機と蓄熱槽ユニットガス側バルブを介して接続された蓄熱用熱交換器を有する蓄熱槽ユニットを備え、室内側熱交換器または蓄熱用熱交換器を凝縮器、室外側熱交換器を蒸発器とする運転を行ない、室内ユニット液側バルブおよび室内ユニットガス側バルブをその順に遮断、あるいは蓄熱槽ユニット液側バルブ、蓄熱槽ユニットガス側バルブ、室内ユニット液側バルブおよび室内ユニットガス側バルブをその順に遮断することにより室内側熱交換器および蓄熱用熱交換器に冷媒を滞留させて室外ユニットの冷媒を回収するポンプダウン制御を行なうようにしたものである。
【手続補正４】
【補正対象書類名】明細書
【補正対象項目名】００１７
【補正方法】変更
【補正の内容】
【００１７】
この発明に係る空気調和装置は、また、圧縮機と、この圧縮機に接続された室外側熱交換器とを有する室外ユニット、この室外ユニットの室外側熱交換器と室内ユニット液側バルブを介して接続されると共に、圧縮機と室内ユニットガス側バルブを介して接続された室内側熱交換器を有する室内ユニット、および室外側熱交換器と蓄熱槽ユニット液側バルブを介して接続されると共に、圧縮機と蓄熱槽ユニットガス側バルブを介して接続された蓄熱用熱交換器を有する蓄熱槽ユニットを備え、室内側熱交換器または室外側熱交換器を凝縮器、蓄熱用熱交換器を蒸発器とする運転を行ない、蓄熱槽ユニット液側バルブおよび蓄熱槽ユニットガス側バルブをその順に遮断、あるいは室内ユニット液側バルブ、室内ユニットガス側バルブ、蓄熱槽ユニット液側バルブおよび蓄熱槽ユニットガス側バルブをその順に遮断することにより室内側熱交換器および室外側熱交換器に冷媒を滞留させて蓄熱槽ユニットの冷媒を回収するポンプダウン制御を行なうようにしたものである。
【手続補正５】
【補正対象書類名】明細書
【補正対象項目名】００１８
【補正方法】変更
【補正の内容】
【００１８】
この発明に係る空気調和装置の冷媒回収方法は、上記蓄熱式空気調和装置において、蓄熱槽ユニットの蓄冷利用冷房運転（放冷運転）を行なうと共に、所定時間後に通常冷房運転との併用冷房運転を行ない、運転が安定した後、室内ユニット液側バルブを遮断し、圧縮機の吸入側圧力が所定値以下となった時、圧縮機を停止すると共に、室内ユニットガス側バルブを遮断して室内ユニットの冷媒を回収するようにしたものである。
【手続補正６】
【補正対象書類名】明細書
【補正対象項目名】００１９
【補正方法】変更
【補正の内容】
【００１９】
この発明に係る空気調和装置の冷媒回収方法は、また、上記蓄熱式空気調和装置において、蓄熱槽ユニットの蓄冷利用冷房運転（放冷運転）を行ない、運転が安定した後、蓄熱槽ユニット液側バルブを遮断し、所定時間後に圧縮機を停止すると共に、蓄熱槽ユニットガス側バルブを遮断し、その後、通常冷房運転を行ない、運転が安定した後、室内ユニット液側バルブを遮断し、圧縮機の吸入側圧力が所定値以下となった時、圧縮機を停止すると共に、室内ユニットガス側バルブを遮断して室内ユニットの冷媒を回収するようにしたものである。
【手続補正７】
【補正対象書類名】明細書
【補正対象項目名】００２０
【補正方法】変更
【補正の内容】
【００２０】
この発明に係る空気調和装置の冷媒回収方法は、また、上記蓄熱式空気調和装置において、室外ユニットの冷媒回収運転を行ない、運転が安定した後、室内ユニット液側バルブを遮断すると共に、蓄熱槽ユニット液側バルブを遮断し、圧縮機の吸入側圧力が所定値以下となった時、圧縮機を停止し、室内ユニットガス側バルブを遮断すると共に、蓄熱槽ユニットガス側バルブを遮断して室外ユニットの冷媒を回収するようにしたものである。
【手続補正８】
【補正対象書類名】明細書
【補正対象項目名】００２１
【補正方法】変更
【補正の内容】
【００２１】
この発明に係る空気調和装置の冷媒回収方法は、また、上記蓄熱式空気調和装置において、蓄熱運転または放冷運転を行ない、運転が安定した後、蓄熱槽ユニット液側バルブを遮断し、所定時間後に圧縮機を停止すると共に、蓄熱槽ユニットガス側バルブを遮断し、その後、通常暖房運転を行ない、運転が安定した後、室内ユニット液側バルブを遮断し、圧縮機の吸入側圧力が所定値以下となった時、圧縮機を停止すると共に、室内ユニットガス側バルブを遮断して室外ユニットの冷媒を回収するようにしたものである。
【手続補正９】
【補正対象書類名】明細書
【補正対象項目名】００２２
【補正方法】変更
【補正の内容】
【００２２】
この発明に係る空気調和装置の冷媒回収方法は、また、上記蓄熱式空気調和装置において、通常暖房運転を行ない、運転が安定した後、室内ユニット液側バルブを遮断し、所定時間後に圧縮機を停止すると共に、室内ユニットガス側バルブを遮断し、その後、蓄熱運転を行ない、運転が安定した後、蓄熱槽ユニット液側バルブを遮断し、圧縮機の吸入側圧力が所定値以下となった時、圧縮機を停止すると共に、蓄熱槽ユニットガス側バルブを遮断して室外ユニットの冷媒を回収するようにしたものである。
【手続補正１０】
【補正対象書類名】明細書
【補正対象項目名】００２３
【補正方法】変更
【補正の内容】
【００２３】
この発明に係る空気調和装置の冷媒回収方法は、また、上記蓄熱式空気調和装置において、蓄熱槽ユニット冷媒回収運転を行ない、運転が安定した後、蓄熱槽ユニット液側バルブを遮断し、圧縮機の吸入側圧力が所定値以下となった時、圧縮機を停止すると共に、蓄熱槽ユニットガス側バルブを遮断して蓄熱槽ユニットの冷媒を回収するようにしたものである。
【手続補正１１】
【補正対象書類名】明細書
【補正対象項目名】００２４
【補正方法】変更
【補正の内容】
【００２４】
この発明に係る空気調和装置の冷媒回収方法は、また、上記蓄熱式空気調和装置において、放熱暖房運転を行ない、運転が安定した後、室内ユニット液側バルブを遮断し、所定時間後に圧縮機を停止すると共に、室内ユニットガス側バルブを遮断し、その後、蓄冷運転を行ない、運転が安定した後、蓄熱槽ユニット液側バルブを遮断し、圧縮機の吸入側圧力が所定値以下となった時、圧縮機を停止すると共に、蓄熱槽ユニットガス側バルブを遮断して蓄熱槽ユニットの冷媒を回収するようにしたものである。
【手続補正１２】
【補正対象書類名】明細書
【補正対象項目名】００６５
【補正方法】変更
【補正の内容】
【００６５】
【発明の効果】
この発明に係る蓄熱式空気調和装置は、圧縮機と、この圧縮機に接続された室外側熱交換器とを有する室外ユニット、この室外ユニットの室外側熱交換器と室内ユニット液側バルブを介して接続されると共に、圧縮機と室内ユニットガス側バルブを介して接続された室内側熱交換器を有する室内ユニット、および室外側熱交換器と蓄熱槽ユニット液側バルブを介して接続されると共に、圧縮機と蓄熱槽ユニットガス側バルブを介して接続された蓄熱用熱交換器を有する蓄熱槽ユニットを備え、室外側熱交換器または蓄熱用熱交換器を凝縮器、室内側熱交換器を蒸発器とする運転を行ない、室内ユニット液側バルブおよび室内ユニットガス側バルブをその順に遮断、あるいは蓄熱槽ユニット液側バルブ、蓄熱槽ユニットガス側バルブ、室内ユニット液側バルブおよび室内ユニットガス側バルブをその順に遮断することにより室外側熱交換器および蓄熱用熱交換器に冷媒を滞留させて室内ユニットの冷媒を回収するポンプダウン制御を行なうようにしたものであるため、室内ユニット内の多量の冷媒を他の冷媒回路へ短時間で移動させることができ、修理作業時間を短縮することができる。
【手続補正１３】
【補正対象書類名】明細書
【補正対象項目名】００６６
【補正方法】変更
【補正の内容】
【００６６】
この発明に係る空気調和装置は、また、圧縮機と、この圧縮機に接続された室外側熱交換器とを有する室外ユニット、この室外ユニットの室外側熱交換器と室内ユニット液側バルブを介して接続されると共に、圧縮機と室内ユニットガス側バルブを介して接続された室内側熱交換器を有する室内ユニット、および室外側熱交換器と蓄熱槽ユニット液側バルブを介して接続されると共に、圧縮機と蓄熱槽ユニットガス側バルブを介して接続された蓄熱用熱交換器を有する蓄熱槽ユニットを備え、室内側熱交換器または蓄熱用熱交換器を凝縮器、室外側熱交換器を蒸発器とする運転を行ない、室内ユニット液側バルブおよび室内ユニットガス側バルブをその順に遮断、あるいは蓄熱槽ユニット液側バルブ、蓄熱槽ユニットガス側バルブ、室内ユニット液側バルブおよび室内ユニットガス側バルブをその順に遮断することにより室内側熱交換器および蓄熱用熱交換器に冷媒を滞留させて室外ユニットの冷媒を回収するポンプダウン制御を行なうようにしたものであるため、室外ユニット内の多量の冷媒を他の冷媒回路へ短時間で移動させることができ、修理作業時間を短縮することができる。
【手続補正１４】
【補正対象書類名】明細書
【補正対象項目名】００６７
【補正方法】変更
【補正の内容】
【００６７】
この発明に係る空気調和装置は、また、圧縮機と、この圧縮機に接続された室外側熱交換器とを有する室外ユニット、この室外ユニットの室外側熱交換器と室内ユニット液側バルブを介して接続されると共に、圧縮機と室内ユニットガス側バルブを介して接続された室内側熱交換器を有する室内ユニット、および室外側熱交換器と蓄熱槽ユニット液側バルブを介して接続されると共に、圧縮機と蓄熱槽ユニットガス側バルブを介して接続された蓄熱用熱交換器を有する蓄熱槽ユニットを備え、室内側熱交換器または室外側熱交換器を凝縮器、蓄熱用熱交換器を蒸発器とする運転を行ない、蓄熱槽ユニット液側バルブおよび蓄熱槽ユニットガス側バルブをその順に遮断、あるいは室内ユニット液側バルブ、室内ユニットガス側バルブバルブ、蓄熱槽ユニット液側バルブおよび蓄熱槽ユニットガス側バルブをその順に遮断することにより室内側熱交換器および室外側熱交換器に冷媒を滞留させて蓄熱槽ユニットの冷媒を回収するポンプダウン制御を行なうようにしたものであるため、蓄熱槽ユニット内の多量の冷媒を他の冷媒回路へ短時間で移動させることができ、修理作業時間を短縮することができる。
【手続補正１５】
【補正対象書類名】明細書
【補正対象項目名】００６８
【補正方法】変更
【補正の内容】
【００６８】
この発明に係る空気調和装置の冷媒回収方法は、上記蓄熱式空気調和装置において、蓄熱槽ユニットの蓄冷利用冷房運転（放冷運転）を行なうと共に、所定時間後に通常冷房運転との併用冷房運転を行ない、運転が安定した後、室内ユニット液側バルブを遮断し、圧縮機の吸入側圧力が所定値以下となった時、圧縮機を停止すると共に、室内ユニットガス側バルブを遮断して室内ユニットの冷媒を回収するようにしたものであるため、室内ユニット内の冷媒を短時間で的確に他の冷媒回路へ移動、回収することができ、修理作業時間を短縮することができる。
【手続補正１６】
【補正対象書類名】明細書
【補正対象項目名】００６９
【補正方法】変更
【補正の内容】
【００６９】
この発明に係る空気調和装置の冷媒回収方法は、また、上記蓄熱式空気調和装置において、室外ユニットの冷媒回収運転を行ない、運転が安定した後、室内ユニット液側バルブを遮断すると共に、蓄熱槽ユニット液側バルブを遮断し、圧縮機の吸入側圧力が所定値以下となった時、圧縮機を停止し、室内ユニットガス側バルブを遮断すると共に、蓄熱槽ユニットガス側バルブを遮断して室外ユニットの冷媒を回収するようにしたものであるため、室外ユニット内の冷媒を短時間で的確に他の冷媒回路へ移動、回収することができ、修理作業時間を短縮することができる。
【手続補正１７】
【補正対象書類名】明細書
【補正対象項目名】００７０
【補正方法】変更
【補正の内容】
【００７０】
この発明に係る空気調和装置の冷媒回収方法は、また、上記蓄熱式空気調和装置において、蓄熱槽ユニット冷媒回収運転を行ない、運転が安定した後、蓄熱槽ユニット液側バルブを遮断し、圧縮機の吸入側圧力が所定値以下となった時、圧縮機を停止すると共に、蓄熱槽ユニットガス側バルブを遮断して蓄熱槽ユニットの冷媒を回収するようにしたものであるため、蓄熱槽ユニット内の冷媒を短時間で的確に他の冷媒回路へ移動、回収することができ、修理作業時間を短縮することができる。